(57)【要約】【課題】  印刷物製造業者において印刷材料の情報提供がなされておらず、また印刷材料の購入における販売システムが実施されていなかった。【解決手段】印刷材料業者が特定の材料を、倉庫に入荷し入荷情報がサーバーにて掲示され顧客が閲覧を可能としサーバーより特定の印刷材料の購入を可能とする印刷材料販売システムを提供する。【選択図】  図１
2005078615.tif 000002
【特許請求の範囲】
【請求項１】
印刷材料業者が特定の材料を、倉庫に入荷するとともに入荷情報がサーバーにて掲示され顧客が閲覧を可能としサーバーより特定の印刷材料の購入を可能とする印刷材料販売システム。
【請求項２】
顧客がサーバーより、提供される情報に基づき特定の印刷材料の発注から納入を可能とした請求項１記載の印刷材料販売システム。
【請求項３】
サーバーより特定の印刷材料を購入した顧客は、決済代行業者より売上発生月の請求を受け、決済代行業者は購買ホスト又は印刷材料業者に支払の代行をおこなうことを可能とした請求項１記載及び請求項２記載の印刷材料販売システム。
【発明の詳細な説明】
【発明の詳細な説明】
【技術分野】
【０００１】本発明は、印刷材料販売システムで、より詳しくは印刷物製造業者である顧客がサーバーより、提供される印刷材料の情報に基づき特定の印刷材料の発注から納入を可能とした印刷材料販売システムである。
【背景技術】
【０００２】  従来、遊園地や各種イベント等のチケット、或いは金券などの印刷物についてもユーザー自身が印刷データを取得して印刷出力し、代金の支払いを電子決済することのできるシステムの発明がされていた。【０００３】  従来、印刷物製造業者において印刷材料の情報提供がなされていなかった。【０００４】  従来、印刷物製造業者において印刷材料の情報提供と購入における販売システムが実施されていなかった。【０００５】
【参考文献１】
特開２００２−１８９８２４
【発明が解決しようとする課題】
【０００６】  これには次のような欠点があった。
従来、遊園地や各種イベント等のチケット、或いは金券などの印刷物についてもユーザー自身が印刷データを取得して印刷出力し、代金の支払いを電子決済することのできるシステムの発明がされていた。
従来、印刷物製造業者において印刷材料の情報提供がなされておらず、また印刷材料の購入における販売システムが実施されていなかったために、印刷物の受注に対応して、材料の調達をするための時間が必要とされていた。
また、印刷材料の情報がないために必要に応じた製品の提供が困難であった。
本発明は、これらの欠点を解決するためになされたものである。
【課題を解決するための手段】
【０００７】印刷材料業者（１０３）が特定の材料を、倉庫に（１０５）入荷するとともに入荷情報がサーバー（１０２）にて掲示され顧客（１０４）が閲覧を可能としサーバー（１０２）より特定の印刷材料の購入を可能とする印刷材料販売システムを提供する。
【０００８】  顧客（１０４）がサーバーより（１０２）、提供される情報に基づき特定の印刷材料の発注から納入を可能とした印刷材料販売システムを提供する。
【０００９】サーバー（１０２）より特定の印刷材料を購入した顧客（１０４）は、決済代行業者（１０６）より売上発生月の請求を受け、決済代行業者（１０６）は購買ホスト（１０１）又は印刷材料業者（１０３）に支払の代行をおこなうことを可能とした印刷材料販売システムを提供する。
【発明を実施するための最良の形態】
【００１０】  以下、本発明の実施の形態について図１乃至図４をもちいて説明する。
図１は本発明の印刷材料販売システムの全体構成を示した図である。
図２は本発明の印刷材料販売システムの流通構成を示す図である。
図３は本発明の印刷材料販売システムの顧客における製品購入流通状況を示す図である。
図４は本発明の印刷材料販売システムの支払い決済状況構成を示した図である。【００１１】  本発明は、図１に示すような印刷材料販売システムである。
この詳細な工程を、図２、図３、図４をもちいて説明する。
図２に示すように本発明、システム本体（１０）から印刷材料販売業者からの流通の構成を示す図で、印刷材料販売業者（１０３）は倉庫（１０５）に印刷材料の入荷をおこなうとともに、購買ホスト（１０１）及びサーバー（１０２）に入荷情報（２０３）が送信され顧客（１０４）が印刷材料の情報の閲覧を可能とされる。【００１２】  図３に示すように本発明、システム本体（１０）から顧客（１０４）における製品購入の構成を示す図で、顧客（１０４）はサーバー（１０２）の入荷情報（２０３）を閲覧し、製品の発注（２０１）をおこない、情報がサーバー（１０２）を経由して受注出荷情報（２０４）が倉庫（１０５）に送信され顧客（１０４）が発注した印刷材料が配送（２０２）される。【００１３】  図４に示しているのは本発明、印刷材料販売システムの支払い決済状況構成を示した図である。
その構成を下記に示す。【００１４】１．顧客（１０４）がサーバー（１０２）より印刷材料の情報閲覧をおこない、必要印刷材料の発注をおこなう。
２．１の顧客（１０４）の発注状況及び取引情報がサーバー（１０２）を経由して購買ホスト（１０１）と決済代行業者（１０６）に情報の伝達がされる。
３．決済代行業者（１０６）は購買ホスト（１０１）又は印刷材料販売業者（１０３）に支払をおこなう。
４．決済代行業者（１０６）は印刷材料の購入顧客（１０４）に対して、売上発生月の請求をおこなう。
５．印刷材料販売業者（１０３）は倉庫における保管料等の精算をおこなう。
６．倉庫に出荷における配送料の精算をおこなう。
７．印刷材料の購入顧客（１０４）は決済代行業者（１０６）に購入品の精算をおこなう。
以上、本発明の印刷材料販売システムは構成される。【００１５】  以下、本発明の使用について説明する。【００１６】  従来、印刷物製造業者において印刷材料の情報提供がなされておらず、また印刷材料の購入における販売システムが実施されていなかったために、印刷物の受注に対応して、材料の調達をするための時間が必要とされていた。
また、印刷材料の情報がないために必要に応じた製品の提供が困難であった。本発明は、これらの欠点を解決することで、印刷物製造業者は製造製品における材料の情報の把握が常時可能となる。
本発明は、以上の構成と使用によるものである。
【発明の効果】
【００１７】印刷材料業者が特定の材料を、倉庫に入荷するとともに入荷情報がサーバーにて掲示され顧客が閲覧を可能としサーバーより特定の印刷材料の購入を可能とする本発明の効果により、印刷物製造業者において印刷材料の情報提供がなされ印刷物の受注に対応しての材料の調達をするための時間が短縮され、特定の材料の情報から製造製品の提案が可能となる。
【００１８】  顧客がサーバーより、提供される情報に基づき特定の印刷材料の発注から納入を可能とすることで印刷材料情報の取得と印刷材料の購入がタイムリーおこなえる。
【００１９】  サーバーより特定の印刷材料を購入した顧客は、決済代行業者より売上発生月の請求を受け、決済代行業者は購買ホスト又は印刷材料業者に支払の代行をおこなうことで、印刷材料業者において資金の循環が速やかにおこなえる。
本発明は、以上の効果を実現するものである。
【図面の簡単な説明】
【図１】本発明のシステムの実施の構成を示す図である。
【図２】本発明のシステムの印刷材料販売業者の実施の構成を示す図である。
【図３】本発明のシステムの顧客の実施の構成を示す図である。
【図４】本発明のシステムの決済の実施の構成を示す図である。
【符号の説明】
１０．システム本体
１０１．購買ホスト
１０２．サーバー
１０３．印刷材料販売業者
１０４．顧客
１０５．倉庫
１０６．決済代行業者
１０７．決済
２０１．発注
２０２．配送
２０３．入荷情報
２０４．受注出荷情報
【図１】
2005078615.tif 000003
【図２】
2005078615.tif 000004
【図３】
2005078615.tif 000005
【図４】
2005078615.tif 000006